(57)【特許請求の範囲】
【請求項１】
所定量単位で貸し玉を計数する貸し玉計数機において、
各歯の間で貸し玉を保持するように設けられるとともに、回転軸周りに形成される回転制御用ギアと、側面の一部に形成されるストッパとを有するカウントギアと、
１回転することによって前記所定量の貸し玉が放出されるように前記カウントギアとのギア比が設定されるセンサギアと、
前記センサギアの軸芯回りに円形状に形成されるとともに、一部に切り欠きが形成されるガイド部と、
回動可能に取り付けられ、端部に形成されたフックが前記カウントギアのストッパと嵌合してロック可能なように付勢される第１のアームと、前記フックが前記カウントギアのストッパから外れた状態でのみ先端部が前記切り欠きを介して前記ガイド部の内側面に嵌合し、前記センサギアの回転に従って前記内側面を摺動可能なように形成される第２のアームと、を有するカムロックレバーと、
前記貸し玉の計数開始時には、前記第２のアームを前記切り欠きを介して前記ガイド部の内側面に嵌合させる押し込み機構部と、
を有することを特徴とする貸し玉計数機。
【請求項２】
前記押し込み機構部は、ソレノイドと、前記ソレノイドの軸の動きに応じて前記第２のアームを前記切り欠きを介して前記ガイド部の内側面に嵌合させるソレノイドレバーと、を有することを特徴とする請求項１記載の貸し玉計数機。
【請求項３】
所定量単位で貸し玉を計数して放出する玉貸機において、
各歯の間で貸し玉を保持するように設けられるとともに、回転軸周りに形成される回転制御用ギアと、側面の一部に形成されるストッパとを有するカウントギアと、
１回転することによって前記所定量の貸し玉が放出されるように前記カウントギアとのギア比が設定されるセンサギアと、
前記センサギアの軸芯回りに円形状に形成されるとともに、一部に切り欠きが形成されるガイド部と、
回動可能に取り付けられ、端部に形成されたフックが前記カウントギアのストッパと嵌合してロック可能なように付勢される第１のアームと、前記フックが前記カウントギアのストッパから外れた状態でのみ先端部が前記切り欠きを介して前記ガイド部の内側面に嵌合し、前記センサギアの回転に従って前記内側面を摺動可能なように形成される第２のアームと、を有するカムロックレバーと、
前記貸し玉の計数開始時には、前記第２のアームを前記切り欠きを介して前記ガイド部の内側面に嵌合させる押し込み機構部と、
を有することを特徴とする玉貸機。
【請求項４】
前記押し込み機構部は、ソレノイドと、前記ソレノイドの軸の動きに応じて前記第２のアームを前記切り欠きを介して前記ガイド部の内側面に嵌合させるソレノイドレバーと、を有することを特徴とする請求項３記載の玉貸機。
【発明の詳細な説明】
【０００１】
【発明の属する技術分野】
本発明は所定量単位で貸し玉を計数する貸し玉計数機および玉貸機に関し、特にカウントギアの回転を利用して貸し玉を計数する貸し玉計数機および玉貸機に関する。
【０００２】
【従来の技術】
従来、遊技場に設置される各パチンコ台間には、貸し玉供給用の玉貸機が設置されており、ノズルを介して所定量単位、例えば２５個単位で貸し玉を放出するようになっている。この玉貸機には、所定量の貸し玉を計数するための貸し玉計数機が内蔵されている。
【０００３】
図１０は従来の貸し玉計数機の概略構成を示す一部断面図である。貸し玉計数機４０には、外部の搬送路から送られる貸し玉５０を、放出口側に供給するための供給路４１が設けられている。供給路４１は、放出口側と連通している。
【０００４】
供給路４１には、スリット４１ａが形成されている。スリット４１ａからは、カウントギア４２の歯４２ａの一部が供給路４１内に挿入されている。カウントギア４２は、例えば１３個の歯４２ａを有している。また、カウントギア４２には、歯４２ａが形成されることによって、同数の凹部４２ｂが形成されている。カウントギア４２は、軸４３を中心に回転可能に取り付けられており、供給路４１内に位置している歯４２ａおよび凹部４２ｂによって、供給路４１内の最下位置の貸し玉５０ａを保持している。このため、カウントギア４２は、貸し玉５０の重みにより常に図面の時計回り方向に力を受けている。
【０００５】
また、カウントギア４２の軸４３には、１３枚の歯４４ａを有する制御ギア４４が、カウントギア４２と一体に回転可能に取り付けられている。この制御ギア４４は、貸し玉の所定供給数と同じ２５個の歯４５ｃを有する制御ギア４５と噛み合っている。制御ギア４５は、軸４５ａを中心に回転可能に取り付けられており、その一部には、１個のストッパ４５ｂが設けられている。このストッパ４５ｂには、ピン４６の一方の端部４６ｂが当接している。
【０００６】
ピン４６は、軸４６ａを中心に回動可能に取り付けられている。また、ピン４６の他方の端部４６ｃは、ソレノイド４７の軸４７ａと連結されている。ピン４６は、ソレノイド４７がオフのときには、図に示すように、端部４６ｂが制御ギア４５のストッパ４５ｂに当接する位置に保持されている。
【０００７】
このような構成の貸し玉計数機４０は、ソレノイド４７がオンになると、軸４７ａが上方に引かれ、ピン４６が図面右回りに所定量回動し、端部４６ｂが制御ギア４５のストッパ４５ｂから外れる。これにより、カウントギア４２が貸し玉５０の重みによって回転を始め、貸し玉５０が供給路４１内を落下していく。カウントギア４２が回転を始めると、ソレノイド４７はすぐにオフになる。また、カウントギア４２の回転によって、制御ギア４５も回転する。
【０００８】
そして、制御ギア４５が１回転したところで、再びピン４６の端部が制御ギア４５のストッパ４５ｂに当接し、制御ギア４５およびカウントギア４２の回転が停止し、貸し玉５０の放出も停止する。前述したように、制御ギア４５の歯４５ｃは２５個なので、１回転する間にカウントギア４２は２５個分の回転を行う。すなわち、貸し玉５０は２５個放出される。
【０００９】
【発明が解決しようとする課題】
しかし、このような構成の貸し玉計数機では、貸し玉５０の放出を停止するとき、制御ギア４５を停止させるようにしていたので、歯４５ｃ等への負担が大きく、耐久性に不安があった。
【００１０】
本発明はこのような点に鑑みてなされたものであり、ギアへの負担を軽減することのできる貸し玉計数機および玉貸機を提供することを目的とする。
【００１１】
【課題を解決するための手段】
本発明では上記課題を解決するために、所定量単位で貸し玉を計数する貸し玉計数機において、各歯の間で貸し玉を保持するように設けられるとともに、回転軸周りに形成される回転制御用ギアと、側面の一部に形成されるストッパとを有するカウントギアと、１回転することによって前記所定量の貸し玉が放出されるように前記カウントギアとのギア比が設定されるセンサギアと、前記センサギアの軸芯回りに円形状に形成されるとともに、一部に切り欠きが形成されるガイド部と、回動可能に取り付けられ、端部に形成されたフックが前記カウントギアのストッパと嵌合してロック可能なように付勢される第１のアームと、前記フックが前記カウントギアのストッパから外れた状態でのみ先端部が前記切り欠きを介して前記ガイド部の内側面に嵌合し、前記センサギアの回転に従って前記内側面を摺動可能なように形成される第２のアームと、を有するカムロックレバーと、前記貸し玉の計数開始時には、前記第２のアームを前記切り欠きを介して前記ガイド部の内側面に嵌合させる押し込み機構部と、を有することを特徴とする貸し玉計数機が提供される。
【００１２】
このような貸し玉計数機では、貸し玉の放出を停止している状態では、カムロックレバーが有する第１のアームの端部に形成されたフックが付勢力を受けてカウントギアのストッパに嵌合してカウントギアをロックしており、カウントギアおよびセンサギアは停止している。そして、押し込み機構部によって、貸し玉の計数開始時には、カムロックレバーが有する第２のアームがガイド部に設けられた切り欠きを介してガイド部の内側面に嵌合され、第１のアームのフックがカウントギアのストッパから外れて、ストッパと嵌合できないように維持される。カムロックレバーのフックがカウントギアのストッパから外されると、カウントギアおよびセンサギアが回転を始める。これと同時に、カウントギアの歯によって保持されていた貸し玉が計数される。
【００１３】
これにより、カウントギアは、そのストッパがカムロックレバーのフックと嵌合することによって直接停止させられるので、センサギアには負担がかからない。
【００１４】
【発明の実施の形態】
以下、本発明の一形態を図面を参照して説明する。
図２は貸し玉計数機を有する玉貸機の前面部の構成を示す図である。玉貸機１０の前面部１１には、表示パネル１２、コイン投入口１３、返却ボタン１４、貸し玉選択パネル１５、貸し玉放出機１６、返却口１７、および紙幣挿入口１８が設けられている。
【００１５】
表示パネル１２には、「玉貸し中」を点灯表示する玉貸し中ランプ１２ａと、「釣り銭切れ」を点灯表示する釣り銭切れランプ１２ｂと、「端数あり」を点灯表示する端数表示ランプ１２ｃとが設けられている。
【００１６】
コイン投入口１３からは、５００円、１００円の２種類のコインが投入される。コイン投入口１３からコインが投入された場合には、その金額に応じた数の貸し玉が貸し玉放出機１６のタンク１６ａに供給され、そのノズル１６ｂから放出される。投入されたコインが詰まったりした場合には、返却ボタン１４を押すことにより、返却口１７からコインが返却される。
【００１７】
貸し玉選択パネル１５には、１００円分の貸し玉数を選択する選択ボタン１５ａと、３００円分の貸し玉数を選択する選択ボタン１５ｂと、５００円分の貸し玉数を選択する選択ボタン１５ｃと、１０００円分の貸し玉数を選択する選択ボタン１５ｄとが設けられている。紙幣挿入口１８から１０００円札を挿入した場合に、何れかのボタンを押すと、選択された金額に相当する数の貸し玉が貸し玉放出機１６に供給され、ノズル１６ｂから放出される。
【００１８】
図３は玉貸機１０の内部の構成を示す側断面図である。最上部には玉貸機１０全体を制御する制御装置２１が設けられている。制御装置２１の下部には、コインセレクタ２２が設けられている。コインセレクタ２２は、コイン投入口１３から投入されたコインを選別するための装置である。コインセレクタ２２は、５００円、１００円の２種類のコインの内、５００円のみを選別し、ホッパ２３を介して釣り銭放出機２４に供給する。また、コインセレクタ２２には、ＬＥＤ２２ａが設けられており、投入されたコインが詰まった場合に、その発光色や点滅方法を変化させることによって、詰まったコインの種類を識別表示する。
【００１９】
ホッパ２３は、釣り銭用ホッパ２３ａと回収用ホッパ２３ｂとに分かれている。釣り銭用ホッパ２３ａは、コインセレクタ２２から選別された５００円玉を釣り銭放出機２５に供給する。釣り銭放出機２４のストックが無くなった場合には、図示されていない島管理装置側からの釣り銭用コインが、釣り銭供給口２３ｃを介して釣り銭用ホッパ２３ａに補給される。
【００２０】
一方、釣り銭放出機２４のストック量が最大になった場合には、コインセレクタ２２から送られた５００円玉は回収用ホッパ２３ｂに送られる。回収用ホッパ２３ｂは、１００円、および釣り銭用ホッパ２３ａ側から送られた５００円のコインをコイン送出口２３ｄを介して島管理装置側に送る。
【００２１】
釣り銭放出機２４は、釣り銭用ホッパ２３ａから供給された５００円玉をストックしておき、制御装置２１からの指令によって返却口１７から釣り銭として５００円玉を放出する。
【００２２】
貸し玉計数機２５は、図示されていない供給路から供給される貸し玉をストックしておき、制御装置２１から指令を受け取ると、投入金額１００円につき所定供給数の２５個の貸し玉を貸し玉放出機１６のタンク１６ａに供給する。このタンク１６ａに供給された貸し玉は、ノズル１６ｂを手動で持ち上げることにより、そのノズル１６ｂから外に放出される。
【００２３】
紙幣セレクタ２６は、紙幣挿入口１８から挿入された１０００円札の真贋を判定し、その１０００円札が偽または不良紙幣であれば紙幣挿入口１８に送り返し、正常な紙幣であれば搬出口２６ａを介して島管理装置側に送る。
【００２４】
図４は貸し玉計数機２５内部の具体的な構成を示す側面図である。また、図５は貸し玉計数機２５を供給路側から見た図である。貸し玉計数機２５には、外部の搬送路から送られる貸し玉３０を、放出口側に供給するための供給路３１が設けられている。供給路３１は、放出口側と連通している。供給路３１には、スリット３１ａが形成されている。スリット３１ａからは、ケース３２に設けられたカウントギア３３の歯３３ａの一部が供給路３１内に挿入されている。カウントギア３３は、例えば１０枚の歯３３ａを有している。この歯３３ａが形成されることによって、カウントギア３３には同数の凹部３３ｂが形成されている。
【００２５】
カウントギア３３は、軸３３１を中心に回転可能に取り付けられており、供給路３１内に位置している歯３３ａおよび凹部３３ｂによって、供給路３１内の最下位置の貸し玉３０ａを保持している。このため、カウントギア３３は、貸し玉３０の重みにより常に図面時計回りの方向に力を受けている。
【００２６】
図６はカウントギア３３の構成を示す図である。カウントギア３３の軸３３１周りには、多数の歯３３２ａを有するギア部３３２が一体に形成されている。また、カウントギア３３には、ストッパ３３３およびストッパ３３４が、軸３３１を中心として互いに対称となる位置に形成されている。
【００２７】
図４および図５に戻り、カウントギア３３のギア部３３２には、センサギア３４のギア部３４２が噛み合っている。このセンサギア３４のギア部３４２には、カウントギア３３のギア部３３２の歯３３２ａの２．５倍の枚数の歯３４２ａが形成されている。センサギア３４は、軸３４１を中心に回転可能に取り付けられている。センサギア３４の裏側面（ケース３２側面）には、円筒状のセンサ片３４３が形成されている。このセンサ片３４３の一部には、切り欠き３４３ａが形成されている。切り欠き３４３ａは、回路基板３８に取り付けられた光センサ３８１によって検出される。
【００２８】
センサギア３４の表側面には、ガイド部３４４が形成されている。ガイド部３４４の内側面３４４ａは、ほぼ円筒状に形成されている。ガイド部３４４の一部には、切り欠き３４４ｂが形成されている。この切り欠き３４４ｂは、センサ片３４３の切り欠き３４３ａに対して図４の時計回り方向にほぼ９０°ずれた位置に形成されている。
【００２９】
また、センサギア３４のガイド部３４４の外周部分には、テーパ状の突状部３４４ｃと、ストッパ３４４ｄが形成されている。突状部３４４ｃは、切り欠き３４４ｂに対して図４の時計回り方向に１８０°以上ずれた位置に形成されている。一方、ストッパ３４４ｄは、切り欠き３４４ｂに対して図４の時計回りに３６０°近くずれた位置に形成されている。
【００３０】
ケース３２には、カムロックレバー３５が軸３５１を中心に回動可能に取り付けられている。カムロックレバー３５は、全体がＬ字型に形成されており、図示されていないバネ部材によって図４の時計回り方向に付勢されている。カムロックレバー３５のアーム３５２の先端には、フック３５２ａが形成されている。フック３５２ａは、定常時はカウントギア３３のストッパ３３３またはストッパ３３４と嵌合し、カウントギア３３の回転を抑制している。
【００３１】
カムロックレバー３５のアーム３５３は、センサギア３４の切り欠き３４４ｂの位置まで延びるように形成されている。このアーム３５３の先端の裏側（ケース３２側）部分には、突状部３５３ａが形成されている（図４参照）。突状部３５３ａは、ガイド部３４４の内側面３４４ａを摺動可能に形成されている。
【００３２】
カムロックレバー３５のアーム３５３の先端部には、ソレノイドレバー３６の一方のアーム３６１の先端部が当接している。ソレノイドレバー３６は、Ｌ字型に形成されており、軸３６３を中心に回動可能に取り付けられている。アーム３６１の先端部の内側（ケース３２側）部分には、突状部３６１ａが形成されている。ソレノイドレバー３６の他方のアーム３６２は、ソレノイド３７の軸３７１と連結されている。
【００３３】
このようなソレノイドレバー３６は、ソレノイド３７がオフのときには、アーム３６１の先端がカムロックレバー３５のアーム３５３の先端部に軽く接触する程度に位置決めされている。そして、ソレノイド３７がオンになって軸３７１が引かれたときには、アーム３５３の先端部を押し込み、ガイド部３４４の切り欠き３４４ｂを介して内側面３４４ａ内に入れるようになっている。
【００３４】
ケース３２の最上部には、ウェイトアーム３９が軸３９１を中心に回動可能に取り付けられている。ウェイトアーム３９は、その先端のフック部３９２が、自重によってカウントギア３３の歯３３ａと適度な圧力で接触できるように設けられている。このウェイトアーム３９との接触によって、カウントギア３３は、貸し玉３０を落下させるときの回転速度が一定に保持される。
【００３５】
次に、このような構成の貸し玉計数機２５の動作を説明する。
まず、貸し玉の放出を停止している状態では、図４に示すように、カウントギア３３の例えばストッパ３３３に、カムロックレバー３５のフック３５２ａが嵌合している。これにより、カウントギア３３の回転は停止している。また、このとき、センサギア３４は、そのセンサ片３４３の切り欠き３４３ａが、光センサ３８１によって検出されている。
【００３６】
このとき、制御装置２１から貸し玉計数の指令がなされ、ソレノイド３７がオンになると、図１に示すように、軸３７１が引かれ、ソレノイドレバー３６が図面時計回りに回動する。そして、ソレノイドレバー３６のアーム３６１の先端部がカムロックレバー３５のアーム３５３の先端部をセンサギア３４のガイド部３４４の内側に押し込む。また、これと同時にカムロックレバー３５のアーム３５２のフック３５２ａがカウントギア３３のストッパ３３３から外れる。これによって、カウントギア３３は抑制力が解かれ、貸し玉３０の重みによって時計回りに回転を始める。また、これに連動して、センサギア３４が反時計回りに回転を始める。
【００３７】
センサギア３４がある程度回転すると、センサ片３４３の切り欠き３４３ａの位置が移動して、光センサ３８１により検知されなくなる。この切り欠き３４３ａの検知がされなくなることにより、ソレノイド３７はオフになる。よって、ソレノイドレバー３６は、もとの位置に戻る。
【００３８】
図７はカウントギア３３が回転中の貸し玉計数機の各機構部の状態を示す図である。カウントギア３３が回転すると、その歯３３ａによって貸し玉３０が下方に送られ、次々と供給路３１内を落下する。落下した貸し玉３０は、図２で示した貸し玉放出機１６のタンク１６ａに送られる。一方、カウントギア３３と連動して回転するセンサギア３４では、ガイド部３４４の内側面３４４ａを、カムロックレバー３５のアーム３５３の突状部３５３ａが摺動する。このため、アーム３５３は、ソレノイドレバー３６によって押し込まれた状態が維持される。よって、アーム３５２のフック３５２ａは、カウントギア３３のストッパ３３３、３３４とは嵌合できないように維持されている。
【００３９】
また、ソレノイド３７が長時間の使用により帯磁してしまい、オフになってもソレノイドレバー３６がもとの位置に戻らなくなってしまった場合でも、図８に示すように、センサギア３４の回転の途中で、ガイド部３４４のテーパ状の突状部３４４ｃがアーム３６１の先端の突状部３６１ａと接触するので、ソレノイドレバー３６を図面左側に押し退ける。これにより、強制的にソレノイドレバー３６をオフの状態に戻すことができる。
【００４０】
また、帯磁が強くてそれでも戻らない場合には、図９に示すように、センサギア３４が１回転近く回転した時点で、突状部３６１ａがストッパ３４４ｄと当接する。これにより、センサギア３４の回転が停止し、カウントギア３３の回転も停止する。よって、貸し玉３０を必要以上に放出することが防止される。
【００４１】
こうしてカウントギア３３およびセンサギア３４が回転し、貸し玉３０が２５個放出された時点、すなわち、カウントギア３３が２．５回転、センサギア３４が１回転した時点で、各機構部は図１で示した状態になる。ただし、このとき、ソレノイドレバー３６は、オフの状態に戻っているので、カムロックレバー３５は、図示されていないバネ部材の付勢力によって、図面時計回りに回動する。すなわち、図４に示すように、アーム３５３の先端部がガイド部３４４から外れ、アーム３５２のフック３５２ａがカウントギア３３のストッパ３３３またはストッパ３３４の一方と嵌合する（初期状態がストッパ３３３であれば、貸し玉３０を２５個放出した後はストッパ３３４と嵌合する）。これにより、貸し玉３０の計数および放出が停止する。
【００４２】
以後、貸し玉の放出を行う場合には、以上の動作を繰り返し行う。
このように、本形態では、カウントギア３３の回転をカムロックレバー３５のフック３５２ａによって直接停止させるようにしたので、センサギア３４の歯３４ｂに負担をかけることがない。よって、耐久性が向上する。
【００４３】
【発明の効果】
以上説明したように本発明では、カウントギアのストッパとカムロックレバーが有する第１のアームの端部に形成されたフックとを嵌合させることによってカウントギアの回転を直接停止するようにしたので、センサギアの歯に負担をかけることがない。よって、耐久性が向上する。
【図面の簡単な説明】
【図１】ソレノイドがオンになった直後の貸し玉計数機の各機構部の状態を示す図である。
【図２】貸し玉計数機を有する玉貸機の前面部の構成を示す図である。
【図３】玉貸機の内部の構成を示す側断面図である。
【図４】貸し玉計数機内部の具体的な構成を示す側面図である。
【図５】貸し玉計数機を供給路側から見た図である。
【図６】カウントギアの構成を示す図である。
【図７】カウントギアが回転中の貸し玉計数機の各機構部の状態を示す図である。
【図８】ガイド部のテーパ状の突状部とソレノイドレバーの突状部とが接触した状態を示す図である。
【図９】ガイド部のストッパとソレノイドレバーの突状部とが当接した状態を示す図である。
【図１０】従来の貸し玉計数機の概略構成を示す一部断面図である。
【符号の説明】
１０  玉貸機
１６  貸し玉放出機
１６ａ  タンク
２１  制御装置
２５  貸し玉計数機
３０  貸し玉
３１  供給路
３２  ケース
３３  カウントギア
３３ａ  歯
３４  センサギア
３５  カムロックレバー
３６  ソレノイドレバー
３７  ソレノイド
３３２  ギア部
３３３，３３４  ストッパ
３４２  ギア部
３４４  ガイド部
３４４ｂ  切り欠き
３５２，３５３  アーム
３５２ａ  フック
【図１】
0004229478.tif 000002
【図２】
0004229478.tif 000003
【図３】
0004229478.tif 000004
【図４】
0004229478.tif 000005
【図５】
0004229478.tif 000006
【図６】
0004229478.tif 000007
【図７】
0004229478.tif 000008
【図８】
0004229478.tif 000009
【図９】
0004229478.tif 000010
【図１０】
0004229478.tif 000011